(57)【要約】【課題】帯状電極の電圧降下に起因する面状電極での等電位線の乱れを確実に解消することのできる抵抗膜型入力装置、および入力機能付き表示装置を提供すること。【解決手段】入力装置の抵抗膜型入力パネル２において、第１帯状電極１６ａ、１６ｂでは、一方側端部１６ａ1、１６ｂ1の離間距離に比較して、他方側端部１６ａ2、１６ｂ2の離間距離が長く、第２帯状電極２６ａ、２６ｂでは、一方側端部２６ａ1、２６ｂ1の離間距離に比較して、他方側端部２６ａ2、２６ｂ2の離間距離が長い。それ故、第１帯状電極１６ａ、１６ｂ、および第２帯状電極２６ａ、２６ｂでの電圧降下に起因する等電位線の乱れを吸収することができる。【選択図】図２
2010009095.tif 000002
【特許請求の範囲】
【請求項１】
対向配置された第１絶縁基板と第２絶縁基板とを備え、前記第１絶縁基板および前記第２絶縁基板の基板面において互いに交差する方向をＸ方向およびＹ方向としたとき、
前記第１絶縁基板において前記第２絶縁基板と対向する面側には、入力領域の全体にわたって形成された第１面状電極と、該第１面状電極よりも低いシート抵抗値をもって前記第１面状電極においてＹ方向で対向する両端部の各々に対してＸ方向の全体にわたって電気的に接続する第１帯状電極対とが形成され、
前記第２絶縁基板において前記第１絶縁基板と対向する面側には、入力領域の全体にわたって形成された第２面状電極と、該第２面状電極よりも低いシート抵抗値をもって前記第２面状電極においてＸ方向で対向する両端部の各々に対してＹ方向の全体にわたって電気的に接続する第２帯状電極対とが形成された抵抗膜型入力装置において、
前記第１帯状電極対および前記第２帯状電極対のうちの少なくとも一方の帯状電極対では、入力位置検出回路に対して電気的に接続する一方側端部から他方側端部に向かって帯状電極同士の離間距離が拡大していることを特徴とする抵抗膜型入力装置。
【請求項２】
前記第１帯状電極対および前記第２帯状電極対のうち、少なくとも延在寸法が長い方の帯状電極対において、前記一方側端部から前記他方側端部に向かって帯状電極同士の離間距離が拡大していることを特徴とする請求項１に記載の抵抗膜型入力装置。
【請求項３】
前記第１帯状電極対および前記第２帯状電極対の双方において、前記一方側端部から前記他方側端部に向かって帯状電極同士の離間距離が拡大していることを特徴とする請求項１または２に記載の抵抗膜型入力装置。
【請求項４】
前記第１帯状電極対および前記第２帯状電極対のうちの少なくとも一方の帯状電極対では、当該帯状電極を構成する２本の帯状電極のうちの少なくとも一方が、他方に対して、前記一方側端部から前記他方側端部に向かって帯状電極同士の離間距離が拡大するように斜めに延在していることを特徴とする請求項１乃至３の何れか一項に記載の抵抗膜型入力装置。
【請求項５】
前記第１帯状電極対および前記第２帯状電極対のうちの少なくとも一方の帯状電極対では、当該帯状電極を構成する２本の帯状電極のうちの少なくとも一方が、他方に対して、前記一方側端部から前記他方側端部に向かって帯状電極同士の離間距離が拡大するよう湾曲しながら延在していることを特徴とする請求項１乃至４の何れか一項に記載の抵抗膜型入力装置。
【請求項６】
前記第１絶縁基板、前記第２絶縁基板、前記第１面状電極および前記第２面状電極はいずれも透光性を備えていることを特徴とする請求項１乃至５の何れか一項に記載の抵抗膜型入力装置。
【請求項７】
請求項１乃至６の何れか一項に記載の抵抗膜型入力装置を備えた入力機能付き表示装置であって、
前記第１絶縁基板に対して前記第２絶縁基板側とは反対側に画像生成装置が重ねて配置されていることを特徴とする入力機能付き表示装置。
【発明の詳細な説明】
【技術分野】
【０００１】
本発明は、指などが接触した位置を検出可能な抵抗膜型入力装置、および該抵抗膜型入力装置を備えた入力機能付き表示装置に関するものである。
【背景技術】
【０００２】
携帯電話、カーナビゲーション、パーソナルコンピュータ、券売機、銀行の端末などの電子機器では、近年、液晶装置などの表面に、タッチパネルと称せられる入力装置が配置され、液晶装置の画像表示領域に表示された画像を参照しながら、情報の入力が行えるものがある。このような入力装置のうち、抵抗膜型入力装置は、図８（ａ）、（ｂ）、（ｃ）に示す構成の抵抗膜型入力パネル２を備えている。図８（ａ）、（ｂ）、（ｃ）は各々、本発明の参考例係る入力装置の抵抗膜型入力パネルに形成した電極の平面的なレイアウトを模式的に示す説明図、この抵抗膜型入力パネルの第１絶縁基板に形成した電極の平面的構成を模式的に示す説明図、および当該抵抗膜型入力パネルの第２絶縁基板に形成した電極の平面的構成を模式的に示す説明図であり、図８（ａ）には、第１絶縁基板に形成された帯状電極を実線で示し、第２絶縁基板に形成された帯状電極を点線で示し、図８（ｂ）、（ｃ）において、絶縁基板に形成された面状電極については、その形成範囲を一点鎖線で示してある。
【０００３】
ここで、抵抗膜型入力パネル２は、対向配置された第１絶縁基板１０および第２絶縁基板２０において、第１絶縁基板１０および第２絶縁基板２０の互いに対向する面に第１面状電極１５および第２面状電極２５が各々形成された構造になっている。また、第１絶縁基板１０および第２絶縁基板２０では、第１面状電極１５および第２面状電極１６よりも低いシート抵抗値をもつ１対の第１帯状電極１６ａ、１６ｂ（第１帯状電極対）、および１対の第２帯状電極２６ａ、２６ｂ（第２帯状電極対）が第１面状電極１５および第２面状電極２５の各々の端部の全体にわたって電気的に接続された構造になっており、かかる第１帯状電極１６ａ、１６ｂおよび第２帯状電極２６ａ、２６ｂの一方側端部１６ａ1、１６ｂ1、２６ａ1、２６ｂ1は各々、入力位置検出回路に電気的に接続される。従って、第２帯状電極２６ａ、２６ｂを介して第２面状電極２５にＸ方向の電圧を印加し、第１絶縁基板１０を介して電位を検出すれば、Ｘ方向での接触位置を検出することができる一方、第１帯状電極１６ａ、１６ｂを介して第１面状電極１６にＹ方向の電圧を印加し、第２絶縁基板２０の側を介して電位を検出すれば、Ｙ方向での接触位置を検出することができる。
【０００４】
しかしながら、第１帯状電極１６ａ、１６ｂおよび第２帯状電極２６ａ、２６ｂは入力領域２ａの外側の狭い領域に形成されることから幅が狭く、特に、入力領域２ａの長手方向に延在している第２帯状電極２６ａ、２６ｂは延在距離が長い。このため、第２帯状電極２６ａ、２６ｂではその抵抗分に起因する電圧降下を避けることができず、その結果、第２帯状電極２６ａ、２６ｂを介して第２面状電極２６にＸ方向の電圧を印加した際、第２面状電極２６では、太い実線ＶＹで示すように、Ｘ方向で等電位線が乱れてしまう。かかる等電位線は、入力位置検出回路で得られる電気信号と位置とのリニアリティを低下する原因となるため、好ましくない。
【０００５】
そこで、帯状電極の幅寸法を長手方向で変化させて帯状電極での電圧降下により影響を吸収することが提案されている（特許文献１参照）。
【特許文献１】特開２００１−３４４１９号公報
【発明の開示】
【発明が解決しようとする課題】
【０００６】
しかしながら、特許文献１に記載のように、帯状電極の幅寸法を長手方向で変化させても、帯状電極の一方側端部から他方側端部に到達するまでの抵抗分が累積していく以上、帯状電極の一方側端部と他方側端部との間での抵抗を完全に一致させるのは不可能である。
【０００７】
また、第２絶縁基板２０の外形形状が定まっている状況下で、特許文献１に記載の構成を第２帯状電極２６ａ、２６ｂに適用すると、図９に示すように、第２帯状電極２６ａ、２６ｂにおいて入力位置検出回路への電気的な接続位置から離れた他方側端部２６ａ2、２６ｂ2では、帯状電極同士の離間距離が狭くなってしまう結果、第２面状電極２６では、Ｙ方向での等電位線の乱れがさらに大きくなるという問題点がある。すなわち、第２帯状電極２６ａ、２６ｂの幅寸法を長手方向で変化させて第２帯状電極２６ａ、２６ｂでの電圧降下により影響を抑制しようとした結果、第２帯状電極２６ａ、２６ｂにおいて一方側端部２６ａ1、２６ｂ1に印加される電圧値と他方側端部２６ａ2、２６ｂ2に印加される電圧値との差を圧縮しても、他方側端部２６ａ2、２６ｂ2での第２帯状電極２６ａ、２６ｂの離間距離が狭くなっている以上、Ｘ方向での等電位線の乱れが大きくなってしまうのである。
【０００８】
なお、図８および図９に示す構成は、本願発明の特徴を説明するために、本願発明者が案出した参考例であり、従来技術ではない。
【０００９】
以上の問題点に鑑みて、本発明の課題は、帯状電極の電圧降下に起因する面状電極での等電位線の乱れを確実に解消することのできる抵抗膜型入力装置、およびかかる抵抗膜型入力装置を備えた入力機能付き表示装置を提供することにある。
【課題を解決するための手段】
【００１０】
上記課題を解決するために、本発明では、対向配置された第１絶縁基板と第２絶縁基板とを備え、前記第１絶縁基板および前記第２絶縁基板の基板面において互いに交差する方向をＸ方向およびＹ方向としたとき、前記第１絶縁基板において前記第２絶縁基板と対向する面側には、入力領域の全体にわたって形成された第１面状電極と、該第１面状電極よりも低いシート抵抗値をもって前記第１面状電極においてＹ方向で対向する両端部の各々に対してＸ方向の全体にわたって電気的に接続する第１帯状電極対とが形成され、前記第２絶縁基板において前記第１絶縁基板と対向する面側には、入力領域の全体にわたって形成された第２面状電極と、該第２面状電極よりも低いシート抵抗値をもって前記第２面状電極においてＸ方向で対向する両端部の各々に対してＹ方向の全体にわたって電気的に接続する第２帯状電極対とが形成された抵抗膜型入力装置において、前記第１帯状電極対および前記第２帯状電極対のうちの少なくとも一方の帯状電極対では、入力位置検出回路に対して電気的に接続する一方側端部から他方側端部に向かって帯状電極同士の離間距離が拡大していることを特徴とする。
【００１１】
本発明では、帯状電極同士の離間距離が、入力位置検出回路に対して電気的に接続する一方側端部では狭く、他方側端部で広い。このため、帯状電極の抵抗が、入力位置検出回路への電気的な接続位置に近い一方側端部では抵抗が小さく、そこから離れた他方側端部では抵抗が大きくて電圧降下が大きい場合でも、等電位線が乱れない。従って、入力位置検出回路で得られる電気信号と接触位置とのリニアリティが高いので、抵抗膜型入力装置の検出精度を向上することができる。
【００１２】
本発明では、前記第１帯状電極対および前記第２帯状電極対のうち、少なくとも延在寸法が長い方の帯状電極対において、前記一方側端部から前記他方側端部に向かって帯状電極同士の離間距離が拡大していることが好ましい。前記第１帯状電極対および前記第２帯状電極対のうち、延在寸法が長い方の帯状電極対では、入力位置検出回路への電気的な接続位置に近い一方側端部と、そこから離れた他方側端部との間での抵抗が差が大きいので、かかる帯状電極対の方に本発明を適用すれば、入力位置検出回路で得られる電気信号と接触位置とのリニアリティを効果的に高めることができるので、抵抗膜型入力装置の検出精度を効果的に向上することができる。
【００１３】
本発明において、前記第１帯状電極対および前記第２帯状電極対の双方において、前記一方側端部から前記他方側端部に向かって帯状電極同士の離間距離が拡大していることが好ましい。
【００１４】
本発明において、前記第１帯状電極対および前記第２帯状電極対のうちの少なくとも一方の帯状電極対では、当該帯状電極を構成する２本の帯状電極のうちの少なくとも一方が、他方に対して、前記一方側端部から前記他方側端部に向かって帯状電極同士の離間距離が拡大するように斜めに延在している構成を採用することができる。
【００１５】
本発明において、前記第１帯状電極対および前記第２帯状電極対のうちの少なくとも一方の帯状電極対では、当該帯状電極を構成する２本の帯状電極のうちの少なくとも一方が、他方に対して、前記一方側端部から前記他方側端部に向かって帯状電極同士の離間距離が拡大するよう湾曲しながら延在していることが好ましい。帯状電極の幅寸法や膜厚が長さ方向で一定の場合、帯状電極において入力位置検出回路への電気的な接続位置に近い一方側端部から他方側端部への抵抗値の変化は、その距離に比例する。従って、かかる抵抗値の差に起因する等電位線の乱れを帯状電極同士の離間距離で吸収するにあたって、帯状電極同士の距離を双曲線などの曲線状に変化させれば、入力位置検出回路で得られる電気信号と接触位置とのリニアリティを効果的に高めることができるので、抵抗膜型入力装置の検出精度を効果的に向上することができる。
【００１６】
本発明において、前記第１絶縁基板、前記第２絶縁基板、前記第１面状電極および前記第２面状電極はいずれも透光性を備えていることが好ましい。このように構成すると、入力機能付き表示装置に用いることができる。
【００１７】
この場合、本発明を適用した抵抗膜型入力装置は、入力機能付き表示装置に用いることができ、この場合、前記第１絶縁基板に対して前記第２絶縁基板側とは反対側に画像生成装置が重ねて配置される。
【００１８】
本発明を適用した入力機能付き表示装置は、携帯電話、カーナビゲーション、パーソナルコンピュータ、券売機、銀行の端末などの電子機器に用いられる。
【発明を実施するための最良の形態】
【００１９】
図面を参照して、本発明の実施の形態を説明する。なお、以下の説明で参照する図においては、各層や各部材を図面上で認識可能な程度の大きさとするため、各層や各部材毎に縮尺を異ならしめてある。また、以下の説明では、対応関係が分りやすいように、図８および図９を参照して説明した構成と共通する機能を有する部分には同一の符号を付して説明する。
【００２０】
［実施の形態１］
（全体構成）
図１（ａ）、（ｂ）は各々、本発明を適用した入力機能付き表示装置の全体構成を模式的に示す説明図、およびその断面構成を模式的に示す説明図である。なお、図１（ｂ）において、入力装置の各電極、および液晶装置の画素電極や対向電極などについては数などを簡略化して示してある。
【００２１】
図１（ａ）、（ｂ）において、本形態を適用した入力機能付き表示装置１００は、概ね、画像生成装置としての液晶装置５と、この液晶装置５において表示光を出射する側の面に重ねて配置された入力装置１とを有している。
【００２２】
液晶装置５は、透過型、反射型あるいは半透過反射型のアクティブマトリクス型の液晶パネル５ａを備えている。本形態において、液晶パネル５ａは、透過型であるため、表示光の出射側とは反対側にバックライト装置（図示せず）が配置される。また、液晶装置５において、液晶パネル５ａに対して表示光の出射側には第１偏光板８１が重ねて配置され、その反対側に第２偏光板８２が重ねて配置されている。液晶パネル５ａは、表示光の出射側に配置された透光性の素子基板５０と、この素子基板５０に対して対向配置された透光性の対向基板６０とを備えている。対向基板６０と素子基板５０とは、枠状のシール材７１により貼り合わされており、対向基板６０と素子基板５０との間においてシール材７１で囲まれた領域内に液晶層５５が保持されている。
【００２３】
素子基板５０において、対向基板６０と対向する面には複数の画素電極５８が形成され、対向基板６０において、素子基板５０と対向する面には共通電極６８が形成されている。なお、共通電極６８は素子基板５０の側に形成されることもある。また、対向基板６０が表示光の出射側に配置されることもある。素子基板５０において、対向基板６０の縁から張り出した張出領域５９には駆動用ＩＣ７５がＣＯＧ実装されているとともに、張出領域５９にはフレキシブル基板７３が接続されている。なお、素子基板５０には、素子基板５０上のスイッチング素子と同時に駆動回路を形成することもある。
【００２４】
（入力装置１の詳細構成）
図２（ａ）、（ｂ）、（ｃ）は各々、本発明の実施の形態１に係る入力装置の抵抗膜型入力パネルに形成した電極の平面的なレイアウトを模式的に示す説明図、この抵抗膜型入力パネルの第１絶縁基板に形成した電極の平面的構成を模式的に示す説明図、および当該抵抗膜型入力パネルの第２絶縁基板に形成した電極の平面的構成を模式的に示す説明図である。なお、図２（ａ）には、第１絶縁基板に形成された帯状電極を実線で示し、第２絶縁基板に形成された帯状電極を点線で示し、図２（ｂ）、（ｃ）において、絶縁基板に形成された面状電極については、その形成範囲を一点鎖線で示してある。また、以下の説明では、抵抗膜型入力パネルに用いた第１絶縁基板および第２絶縁基板の基板面で互いに交差する方向（本形態では、直交する方向）を各々Ｘ方向およびＹ方向として説明する。
【００２５】
本形態の入力装置１は、液晶装置５に重ねて配置された抵抗膜型入力パネル２を備えた抵抗膜型入力装置であり、抵抗膜型入力パネル２の中央領域が入力領域２ａとして利用される。かかる抵抗膜型入力パネル２は、ガラス板やプラスチック板などからなる透光性の第１絶縁基板１０と、ガラス板、プラスチック板、プラスチックシートなどからなる透光性の第２絶縁基板２０とを備えており、本形態では、第１絶縁基板１０および第２絶縁基板２０のいずれにもガラス板が用いられている。ここで、第１絶縁基板１０と第２絶縁基板２０とは、第１面１１、２１同士が所定の隙間を介して対向するように、枠状のシール材３１によって貼り合わされている。第２絶縁基板２０は入力操作側に配置され、第１絶縁基板１０は液晶装置５の側に配置されている。このため、第２絶縁基板２０は、第２面２２を入力操作側に向けており、第１絶縁基板１０は、第２面１２を液晶装置５の側に向けている。このように構成した抵抗膜型入力パネル２では、入力を行なう際、第２絶縁基板２０が撓む必要があるので、第２絶縁基板２０は、第１絶縁基板１０より厚さが薄く、可撓性を備えている。
【００２６】
ここで、第１絶縁基板１０および第２絶縁基板２０はいずれも、Ｘ方向に延在する基板辺１０ｘ1、１０ｘ2、２０ｘ1、２０ｘ2が長辺で、Ｙ方向に延在する基板縁１０ｙ1、１０ｙ2、２０ｙ1、２０ｙ2が短辺の長方形であり、第１絶縁基板１０および第２絶縁基板２０の縦横比は、例えば４：１である。
【００２７】
第１絶縁基板１０の第１面１１において、第２絶縁基板２０の縁からＹ方向に張り出した張出領域１３にはフレキシブル基板３３が接続されている。かかるフレキシブル基板３３は、抵抗膜型入力パネル２と入力位置検出回路（図示せず）とを電気的に接続するための配線部材である。
【００２８】
抵抗膜型入力パネル２では、第１絶縁基板１０の第１面１１の入力領域２ａ全体にわたってＩＴＯ膜（Indium Tin Oxide）からなる透光性の第１面状電極１５が形成され、第２絶縁基板２０の第１面２１にも、入力領域２ａ全体にわたってＩＴＯ膜からなる透光性の第２面状電極２５が形成され、その内側は空気層になっている。
【００２９】
また、第１絶縁基板１０の第１面１１では、第１面状電極１５においてＹ方向で対向する両端部の各々に対してＸ方向の全体にわたって電気的に接続する一対の第１帯状電極１６ａ、１６ｂ（第１帯状電極対）が形成されている。本形態において、第１帯状電極１６ａ、１６ｂは、第１面状電極１５においてＹ方向で対向する両端部の上層に積層された金属電極であり、銀や銀合金などからなる。このため、第１帯状電極１６ａ、１６ｂのシート抵抗は０．２Ω／□であるのに対して、第１面状電極１５のシート抵抗は５００Ω／□であり、第１帯状電極１６ａ、１６ｂは、第１面状電極１５に比較してシート抵抗が低い。
【００３０】
ここで、第１絶縁基板１０の角部には４つの端子１６ｅ、１６ｆ、１６ｇ、１６ｈが形成されており、一対の第１帯状電極１６ａ、１６ｂのうち、一方の第１帯状電極１６ａは端子１６ｇの一方端から、Ｙ方向の一方側に位置する基板辺１０ｙ1に平行に延在している。また、端子１６ｅからは中継電極１６ｓがＸ方向の一方側に位置する基板辺１０ｘ1に沿って延在しており、他方の第１帯状電極１６ｂは、中継電極１６ｓの先端部からＹ方向の他方側に位置する基板辺１０ｙ2に沿って延在している。
【００３１】
また、第２絶縁基板２０の第１面２１では、第２面状電極２５においてＸ方向で対向する両端部の各々に対してＹ方向の全体にわたって電気的に接続する一対の第２帯状電極２６ａ、２６ｂ（第２帯状電極対）が形成されている。本形態において、第２帯状電極２６ａ、２６ｂは、第２面状電極２５においてＸ方向で対向する両端部の上層に積層された金属電極であり、第１帯状電極１６ａ、１６ｂと同様、銀や銀合金などからなる。このため、第２帯状電極２６ａ、２６ｂのシート抵抗は、第２面状電極２５に比較してシート抵抗が低い。ここで、第２絶縁基板２０の端部には２つの端子２６ｆ、２６ｈが形成されており、一対の第２帯状電極２６ａ、２６ｂのうち、一方の第２帯状電極２６ａは端子２６ｆの一方端から、Ｘ方向の一方側に位置する基板辺２０ｘ1に沿って延在している。また、端子２６ｈからは中継電極２６ｓがＹ方向の一方側に位置する基板辺２０ｙ1に沿って延在しており、他方の第２帯状電極２６ｂは、中継電極２６ｓの先端部からＸ方向の他方側に位置する基板辺２０ｘ2に沿って延在している。なお、第１絶縁基板１０および第２絶縁基板２０のうち、一方には、第１絶縁基板１０と第２絶縁基板２０との離間距離を規定する小突起が形成されることもある。
【００３２】
このように構成した第１絶縁基板１０に第２絶縁基板２０を対向配置すると、第２絶縁基板２０に形成された端子２６ｆ、２６ｈは、第１絶縁基板１０に形成された端子１６ｆ、１６ｈと重なる。また、第１絶縁基板１０の第１面１１では、端子１６ｅ、１６ｆ、１６ｇ、１６ｈにおいて張出領域１３に位置する他方側端部にフレキシブル基板３３（図１参照）が接続される。また、図１（ｂ）に示すシール３１には、表面に金属層が形成されたプラスチックビーズなどからなる基板間導通材３０が配合されており、基板間導通材３０は、第１絶縁基板１０の第１面１１と第２絶縁基板２０の第１面２１との間に介在して、第２絶縁基板２０に形成されている端子２６ｆ、２６ｈと、第１絶縁基板１０に形成されている端子１６ｆ、１６ｈとを導電接続する。
【００３３】
従って、第１帯状電極１６ａは、端子１６ｇおよびフレキシブル基板３３を介して入力位置検出回路に電気的に接続される。それ故、第１帯状電極１６ａにおいて、入力位置検出回路への電気的な接続位置に近い一方側端部１６ａ1とは、第１帯状電極１６ａと端子１６ｇとが繋がっている部分である。これに対して、第１帯状電極１６ｂは、中継電極１６ｓ、端子１６ｅおよびフレキシブル基板３３を介して入力位置検出回路に電気的に接続される。それ故、第１帯状電極１６ｂにおいて、入力位置検出回路への電気的な接続位置に近い一方側端部１６ｂ1とは、第１帯状電極１６ｂと中継電極１６ｓとが繋がっている部分である。
【００３４】
一方、第２帯状電極２６ａは、端子２６ｆ、端子１６ｆおよびフレキシブル基板３３を介して入力位置検出回路に電気的に接続される。それ故、第２帯状電極２６ａにおいて、入力位置検出回路への電気的な接続位置に近い一方側端部２６ａ1とは、第２帯状電極２６ａと端子２６ｆとが繋がっている部分である。これに対して、第２帯状電極２６ｂは、中継電極２６ｓ、端子２６ｈ、端子１６ｈおよびフレキシブル基板３３を介して入力位置検出回路に電気的に接続される。それ故、第２帯状電極２６ｂにおいて、入力位置検出回路への電気的な接続位置に近い一方側端部２６ｂ1とは、第２帯状電極２６ｂと中継電極２６ｓとが繋がっている部分である。
【００３５】
ここで、第１帯状電極１６ａ、１６ｂは、入力位置検出回路への電気的な接続位置に近い一方側端部１６ａ1、１６ｂ1から、かかる接続位置から離れた他方側端部１６ａ2、１６ｂ2に向かって帯状電極同士の離間距離が拡大するように斜めに直線的に延在しており、第１帯状電極１６ａ、１６ｂの離間距離は、一方側端部１６ａ1、１６ｂ1から他方側端部１６ａ2、１６ｂ2に向かって漸増している。
【００３６】
また、第２帯状電極２６ａ、２６ｂも、第１帯状電極１６ａ、１６ｂと同様、入力位置検出回路への電気的な接続位置に近い一方側端部２６ａ1、２６ｂ1から、かかる接続位置から離れた他方側端部２６ａ2、２６ｂ2に向かって帯状電極同士の離間距離が拡大するように斜めに直線的に延在しており、第２帯状電極２６ａ、２６ｂの離間距離は、一方側端部２６ａ1、２６ｂ1から他方側端部２６ａ2、２６ｂ2に向かって漸増している。
【００３７】
（本形態の作用および主な効果）
図３（ａ）、（ｂ）は、本発明を適用した抵抗膜型入力装置において、Ｘ方向における接触位置を検出する原理を示す説明図、およびＹ方向における接触位置を検出する原理を示す説明図である、本形態の抵抗膜型入力装置１では、図３（ａ）に示すように、入力位置検出回路から第２帯状電極２６ａ、２６ｂを介して第２面状電極２５にＸ方向の電圧を印加し、入力位置検出回路において、第１絶縁基板１０の側を介して電位Ｖｓｘを検出すれば、Ｘ方向での接触位置を検出することができる。また、図３（ｂ）に示すように、入力位置検出回路から第１帯状電極１６ａ、１６ｂを介して第１面状電極１５にＹ方向の電圧を印加し、入力位置検出回路において、第２絶縁基板２０の側を介して電位Ｖｓｙを検出すれば、Ｙ方向での接触位置を検出することができる。
【００３８】
ここで、図２を参照して説明した第１帯状電極１６ａ、１６ｂ、および第２帯状電極２６ａ、２６ｂでは、一方側端部１６ａ1、１６ｂ1、２６ａ1、２６ｂ1から他方側端部１６ａ2、１６ｂ2、２６ａ2、２６ｂ2に到達するまでの抵抗分が累積していく以上、第１帯状電極１６ａ、１６ｂ、および第２帯状電極２６ａ、２６ｂにおいて、他方側端部１６ａ2、１６ｂ2、２６ａ2、２６ｂ2までの抵抗は、一方側端部１６ａ1、１６ｂ1、２６ａ1、２６ｂ1までの抵抗よりも大きい。このため、他方側端部１６ａ2、１６ｂ2の間に印加される電圧は、第１帯状電極１６ａ、１６ｂでの電圧降下によって、一方側端部１６ａ1、１６ｂ1の間に印加される電圧よりも低い。しかるに本形態では、他方側端部１６ａ2、１６ｂ2の離間距離は、一方側端部１６ａ1、１６ｂ1の離間距離に比較して長い。このため、第１帯状電極１６ａ、１６ｂの間に形成される等電位線は、図２（ａ）に太い実線ＶＸで示すように、乱れることなくＸ方向に平行に直線的に延在する。また、他方側端部２６ａ2、２６ｂ2の間に印加される電圧は、第２帯状電極２６ａ、２６ｂでの電圧降下によって、一方側端部２６ａ1、２６ｂ1の間に印加される電圧よりも低いが、他方側端部２６ａ2、２６ｂ2の離間距離は、一方側端部２６ａ1、２６ｂ1の離間距離に比較して長い。このため、第２帯状電極２６ａ、２６ｂの間に形成される等電位線は、図２（ａ）に太い実線ＶＹで示すように、乱れることなくＹ方向に平行に直線的に延在する。それ故、本形態によれば、入力位置検出回路で得られる電気信号と接触位置とのリニアリティが高いので、入力装置１の検出精度を向上することができる。
【００３９】
また、本形態では、第１帯状電極１６ａ、１６ｂ、および第２帯状電極２６ａ、２６ｂの幅は一定として、延在方向を斜めにするだけでよいので、抵抗膜型入力パネル２において、入力領域２ａの外側領域を広くする必要がない。
【００４０】
［実施の形態２］
図４（ａ）、（ｂ）、（ｃ）は各々、本発明の実施の形態２に係る入力装置の抵抗膜型入力パネルに形成した電極の平面的なレイアウトを模式的に示す説明図、この抵抗膜型入力パネルの第１絶縁基板に形成した電極の平面的構成を模式的に示す説明図、および当該抵抗膜型入力パネルの第２絶縁基板に形成した電極の平面的構成を模式的に示す説明図である。なお、図４（ａ）には、第１絶縁基板に形成された帯状電極を実線で示し、第２絶縁基板に形成された帯状電極を点線で示し、図４（ｂ）、（ｃ）において、絶縁基板に形成された面状電極については、その形成範囲を一点鎖線で示してある。また、本形態の基本的な構成は、実施の形態１と同様であるため、共通する部分には同一の符号を付してそれらの説明を省略する。
【００４１】
実施の形態１では、第１絶縁基板１０および第２絶縁基板２０の短辺方向および長辺方向にかかわらず、第１帯状電極１６ａ、１６ｂ、および第２帯状電極２６ａ、２６ｂの双方において、他方側端部１６ａ2、１６ｂ2の離間距離、および他方側端部２６ａ2、２６ｂ2の離間距離を一方側端部１６ａ1、１６ｂ1の離間距離、および一方側端部２６ａ1、２６ｂ1の離間距離に比較して長くしたが、本形態では、図４（ａ）、（ｂ）、（ｃ）に示すように、第１絶縁基板１０および第２絶縁基板２０において長辺方向（基板辺１０ｘ1、１０ｘ2、２０ｘ1、２０ｘ2に沿う方向）に延在する第２帯状電極２６ａ、２６ｂのみにおいて他方側端部２６ａ2、２６ｂ2の離間距離を一方側端部２６ａ1、２６ｂ1の離間距離に比較して長くしてある。このように構成した場合、第１帯状電極１６ａ、１６ｂでは等電位線の補正が行われないが、第１帯状電極１６ａ、１６ｂは元々、延在距離が短いので、電圧降下の影響が小さい。それ故、本形態でも、入力位置検出回路で得られる電気信号と接触位置とのリニアリティが高いので、入力装置１の検出精度を向上することができる。
【００４２】
［実施の形態３］
図５は、本発明の実施の形態３に係る入力装置の抵抗膜型入力パネルに形成した第２帯状電極の平面的な形状を模式的に示す説明図である。
【００４３】
上記実施の形態１では、第１帯状電極１６ａ、１６ｂ、および第２帯状電極２６ａ、２６ｂを斜めに直線的に延在させ、上記実施の形態２では、第２帯状電極２６ａ、２６ｂを斜めに直線的に延在させたが、図５に例示するように、第２帯状電極２６ａ、２６ｂを端子２６ｆあるいは中継電極２６ｓから曲線的に延在させて、第２帯状電極２６ａ、２６ｂにおいて他方側端部２６ａ2、２６ｂ2の離間距離を一方側端部２６ａ1、２６ｂ1の離間距離に比較して長くしてもよい。
【００４４】
すなわち、第２帯状電極２６ａ、２６ｂの幅寸法や膜厚が長さ方向で一定の場合、第２帯状電極２６ａ、２６ｂのみの抵抗に着目すれば、入力位置検出回路への電気的な接続位置に近い一方側端部２６ａ1、２６ｂ1から他方側端部２６ａ2、２６ｂ2への抵抗値の変化は、その距離に比例する。従って、かかる抵抗値の差に起因する等電位線の乱れを第２帯状電極２６ａ、２６ｂの離間距離で吸収するにあたって、第２帯状電極２６ａ、２６ｂの形状を双曲線などの曲線状に変化させれば、入力位置検出回路で得られる電気信号と接触位置とのリニアリティを効果的に高めることができる。
【００４５】
なお、第２帯状電極２６ａ、２６ｂでの電圧降下に起因する等電位線の乱れを第２帯状電極２６ａ、２６ｂの離間距離で吸収するには、第２帯状電極２６ａ、２６ｂの抵抗値に加えて、第２面状電極２５や、中継電極２６ｓ、フレキシブル基板３３の配線抵抗などを考慮する必要があり、必ずしも、双曲線が適正とは限らないが、第２帯状電極２６ａ、２６ｂの抵抗値は、長さ方向の位置に対して曲線的に変化する。従って、第２帯状電極２６ａ、２６ｂの形状を曲線にすれば、入力位置検出経路で得られる電気信号と接触位置とのリニアリティを効果的に高めることができるので、抵抗膜型入力装置１の検出精度を効果的に向上することができる。
【００４６】
また、図５に示すように、曲線状に延在する第２帯状電極２６ａ、２６ｂと、実施の形態１で説明した斜めに直線状に延在する第１帯状電極１６ａ、１６ｂとを組み合わせてもよい。
【００４７】
［実施の形態４］
図６（ａ）、（ｂ）、（ｃ）は各々、本発明の実施の形態４に係る入力装置の抵抗膜型入力パネルに形成した電極の平面的なレイアウトを模式的に示す説明図、この抵抗膜型入力パネルの第１絶縁基板に形成した電極の平面的構成を模式的に示す説明図、および当該抵抗膜型入力パネルの第２絶縁基板に形成した電極の平面的構成を模式的に示す説明図である。なお、図６（ａ）には、第１絶縁基板に形成された帯状電極を実線で示し、第２絶縁基板に形成された帯状電極を点線で示し、図６（ｂ）、（ｃ）において、絶縁基板に形成された面状電極については、その形成範囲を一点鎖線で示してある。また、本形態の基本的な構成は、実施の形態１と同様であるため、共通する部分には同一の符号を付してそれらの説明を省略する。
【００４８】
実施の形態１では、第１絶縁基板１０および第２絶縁基板２０のいずれもが、Ｘ方向に延在する基板辺１０ｘ1、１０ｘ2、２０ｘ1、２０ｘ2が短辺で、Ｙ方向に延在する基板縁１０ｙ1、１０ｙ2、２０ｙ1、２０ｙ2が長辺の長方形であって、第２絶縁基板２０の縁からＹ方向に張り出した張出領域１３にフレキシブル基板３３が接続されている構成であったが、図６（ａ）、（ｂ）、（ｃ）に示すように、第１絶縁基板１０および第２絶縁基板２０において、Ｘ方向に延在する基板辺１０ｘ1、１０ｘ2、２０ｘ1、２０ｘ2が短辺で、Ｙ方向に延在する基板縁１０ｙ1、１０ｙ2、２０ｙ1、２０ｙ2が長辺の長方形であって、第１絶縁基板１０において、第２絶縁基板２０の縁からＹ方向に張り出した張出領域１３にフレキシブル基板３３が接続されている場合に本発明を適用してもよい。
【００４９】
また、上形態では、第１帯状電極１６ａ、１６ｂの双方、および第２帯状電極２６ａ、２６ｂの双方を斜めに直線的に延在させたが、図６（ａ）、（ｂ）に示すように、基板辺１０ｙ1の長さ方向の略中央位置に端子１６ｅ〜１６ｈが配置されているような場合には、第１帯状電極１６ａ、１６ｂのうち、第１帯状電極１６ａでは電圧降下の影響が小さい。このような場合には、第１帯状電極１６ａ、１６ｂのうち、一方の第１帯状電極１６ｂのみを斜めに延在させて、第１帯状電極１６ｂの一方側端部１６ｂ1と第１帯状電極１６ａとの離間距離よりも、第１帯状電極１６ｂの他方側端部１６ｂ2第１帯状電極１６ａとの離間距離を広げてもよい。
【００５０】
［その他の構成］
上記の実施の形態１〜４では、画像生成装置としての液晶装置５を用いたが、有機エレクトロルミネッセンス装置やプラズマ表示装置を画像生成装置として用いてもよい。
【００５１】
［電子機器への搭載例］
次に、上述した実施形態に係る入力機能付き表示装置１００を適用した電子機器について説明する。図７（ａ）に、入力機能付き表示装置１００を備えたモバイル型のパーソナルコンピュータの構成を示す。パーソナルコンピュータ２０００は、表示ユニットとしての入力機能付き表示装置１００と本体部２０１０を備える。本体部２０１０には、電源スイッチ２００１及びキーボード２００２が設けられている。図７（ｂ）に、入力機能付き表示装置１００を備えた携帯電話機の構成を示す。携帯電話機３０００は、複数の操作ボタン３００１及びスクロールボタン３００２、並びに表示ユニットとしての入力機能付き表示装置１００を備える。スクロールボタン３００２を操作することによって、入力機能付き表示装置１００に表示される画面がスクロールされる。図７（ｃ）に、入力機能付き表示装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての入力機能付き表示装置１００を備える。電源スイッチ４００２を操作すると、住所録やスケジュール帳といった各種の情報が入力機能付き表示装置１００に表示される。
【００５２】
なお、入力機能付き表示装置１００が適用される電子機器としては、図７に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、銀行端末などの電子機器などが挙げられる。そして、これらの各種電子機器の表示部として、前述した入力機能付き表示装置１００が適用可能である。
【図面の簡単な説明】
【００５３】
【図１】（ａ）、（ｂ）は各々、本発明を適用した入力機能付き表示装置の全体構成を模式的に示す説明図、およびその断面構成を模式的に示す説明図である。
【図２】（ａ）、（ｂ）、（ｃ）は各々、本発明の実施の形態１に係る入力装置の抵抗膜型入力パネルに形成した電極の平面的なレイアウトを模式的に示す説明図、この抵抗膜型入力パネルの第１絶縁基板に形成した電極の平面的構成を模式的に示す説明図、および当該抵抗膜型入力パネルの第２絶縁基板に形成した電極の平面的構成を模式的に示す説明図である。
【図３】（ａ）、（ｂ）は、本発明を適用した抵抗膜型入力装置において、Ｘ方向における接触位置を検出する原理を示す説明図、およびＹ方向における接触位置を検出する原理を示す説明図である。
【図４】（ａ）、（ｂ）、（ｃ）は各々、本発明の実施の形態２に係る入力装置の抵抗膜型入力パネルに形成した電極の平面的なレイアウトを模式的に示す説明図、この抵抗膜型入力パネルの第１絶縁基板に形成した電極の平面的構成を模式的に示す説明図、および当該抵抗膜型入力パネルの第２絶縁基板に形成した電極の平面的構成を模式的に示す説明図である。
【図５】本発明の実施の形態３に係る入力装置の抵抗膜型入力パネルに形成した第２帯状電極の平面的な形状を模式的に示す説明図である。
【図６】（ａ）、（ｂ）、（ｃ）は各々、本発明の実施の形態４に係る入力装置の抵抗膜型入力パネルに形成した電極の平面的なレイアウトを模式的に示す説明図、この抵抗膜型入力パネルの第１絶縁基板に形成した電極の平面的構成を模式的に示す説明図、および当該抵抗膜型入力パネルの第２絶縁基板に形成した電極の平面的構成を模式的に示す説明図である。
【図７】本発明に係る入力機能付き表示装置を用いた電子機器の説明図である。
【図８】（ａ）、（ｂ）、（ｃ）は各々、本発明の参考例に係る入力装置の抵抗膜型入力パネルに形成した電極の平面的なレイアウトを模式的に示す説明図、この抵抗膜型入力パネルの第１絶縁基板に形成した電極の平面的構成を模式的に示す説明図、および当該抵抗膜型入力パネルの第２絶縁基板に形成した電極の平面的構成を模式的に示す説明図である。
【図９】（ａ）、（ｂ）、（ｃ）は各々、本発明の別の参考例に係る入力装置の抵抗膜型入力パネルに形成した電極の平面的なレイアウトを模式的に示す説明図、この抵抗膜型入力パネルの第１絶縁基板に形成した電極の平面的構成を模式的に示す説明図、および当該抵抗膜型入力パネルの第２絶縁基板に形成した電極の平面的構成を模式的に示す説明図である。
【符号の説明】
【００５４】
１・・入力装置、２・・抵抗膜型入力パネル、２ａ・・入力領域、５・・液晶装置（画像生成装置）、１０・・第１絶縁基板、１５・・第１面状電極、１６ａ、１６ｂ・・第１帯状電極、２０・・第２絶縁基板、２５・・第２面状電極、２６ａ、２６ｂ・・第２帯状電極、１００・・入力機能付き表示装置
【図１】
2010009095.tif 000003
【図２】
2010009095.tif 000004
【図３】
2010009095.tif 000005
【図４】
2010009095.tif 000006
【図５】
2010009095.tif 000007
【図６】
2010009095.tif 000008
【図７】
2010009095.tif 000009
【図８】
2010009095.tif 000010
【図９】
2010009095.tif 000011